(57)【要約】【課題】照明器具を天井等に設置するにあたって、器具本体とセードとの組立作業性が良く、また、固定手段による器具本体とセードとの固定がなされない場合でも、器具本体からセードが落下することを防止できる照明器具を提供する。【解決手段】照明器具１００は、器具本体２００にセード５００Ｒ，５００Ｌを固定する際、セード５００Ｒ，５００Ｌの延設片５２０ａ，５２０ｂを器具本体１００の前後各々に設けられた鍔部２２２Ｒ，２２２Ｌに保持させ、その後鍔部２２２Ｒ，２２２Ｌと延設片５２０ａ，５２０ｂとをネジ７００で固定している。これにより、ユーザーが手でセード５００Ｒ，５００Ｌを手で保持することなく、器具本体２００とセード５００Ｒ，５００Ｌとをネジ７００でネジ留めすることができて、器具本体２００とセード５００Ｒ，５００Ｌとの組立作業性が良くなる。【選択図】図１
2009123495.tif 000002
【特許請求の範囲】
【請求項１】
長尺状の器具本体と、
器具本体に配設されるソケットと、
ソケットに着脱自在に装着される照明負荷と、
器具本体に取り付けられ、ソケットを介して照明負荷と電気的に接続されて電力を供給し、照明負荷を点灯させる点灯装置と、
器具本体の下側に取り付けられて照明負荷の下方を覆う長尺状のセードと、
セードを器具本体に固定する固定手段とで構成され、
器具本体は、短手方向の両端方向に各々突出した鍔部を形成され、
セードは、短手方向の両端において各鍔部の上面に当接する当接面を長手方向に延設し、器具本体の長手方向の一端から当該当接面を器具本体の鍔部の上面に載置した状態で、長手方向の他端側にスライドして照明負荷の下方を覆い、
固定手段は、鍔部と当接面とを互いに固定する、
ことを特徴とする照明器具。
【請求項２】
前記セードの当接面はネジを挿通させる挿通孔を備え、
前記器具本体の鍔部は、ネジを螺入するネジ孔を備え、
セードと器具本体とは、ネジが当接面側から挿通孔を挿通してネジ孔に螺入することで互いに固定されることを特徴とする請求項１に記載の照明器具。
【請求項３】
前記鍔部は、前記当接面の長手方向の少なくとも両端で当接することを特徴とする請求項１または２に記載の照明器具。
【発明の詳細な説明】
【技術分野】
【０００１】
本発明は、照明器具に関するものである。
【背景技術】
【０００２】
従来の照明器具は、例えば、天井等に設置される長尺状の器具本体と、器具本体の長手方向両端に設けられたソケットと、器具本体に取り付けられて、外部からの電力を、ソケットを介して照明負荷へ供給する自動安定器と、ソケットに装着され、自動安定器から供給された電力により点灯する照明負荷と、照明負荷が発した光を照明負荷の下方に配光制御するセードとからなる（例えば、特許文献１参照）。
【０００３】
そして、セードを器具本体に取り付ける際には、照明負荷をソケットに装着した器具本体の下方から、セードを器具本体の下面に覆設する。器具本体にはネジを螺入するネジ孔があらかじめ形成されており、また、セードには、ネジを挿通する挿通孔が形成されており、ユーザーは、下方からセードに形成された挿通孔にネジを挿通して、器具本体のネジ孔にネジを螺入することで器具本体にセードを固定する。ユーザーは、スイッチなどを介して、外部から自動安定器に電力を供給することで、ソケットを介して直管形蛍光灯に電力を供給して光を発生させ、室内を照明する。
【特許文献１】特開平１１−０２５７２１号公報
【発明の開示】
【発明が解決しようとする課題】
【０００４】
ところで、従来の照明器具は、家庭、事務所、店舗などの天井等の高い位置に設置される。その際、セードが器具本体から落下することを防ぐため、器具本体及びセードの下方からネジ留めをすることによって器具本体にセードを固定していたが、器具本体にセードを取り付ける際には、ユーザーがセードに手を添えて保持した状態でセードを器具本体に固定する必要があった。このため、ユーザーは器具本体にセードを取り付ける際にセードの保持と固定を同時に行わなければならず、照明器具の組立作業性が悪かった。
【０００５】
また、従来の照明器具は、器具本体及びセードの下方からネジ留めをすることによって器具本体にセードを固定しているが、照明器具を設置した後に、ネジが徐々に緩み、外れてしまうことがあった。ネジが外れた場合には、器具本体からセードが外れて落下し、危険である。また、外れたネジも下方に落下し、危険である。
【０００６】
本発明は、上記事由に鑑みてなされたものであり、その目的は、照明器具を天井等に設置するにあたって、器具本体とセードとの組立作業性が良く、また、固定手段による器具本体とセードとの固定がなされない場合でも、器具本体からセードが落下することを防止できる照明器具を提供することにある。
【課題を解決するための手段】
【０００７】
請求項１の発明は、長尺状の器具本体と、器具本体に配設されるソケットと、ソケットに着脱自在に装着される照明負荷と、器具本体に取り付けられ、ソケットを介して照明負荷と電気的に接続されて電力を供給し、照明負荷を点灯させる点灯装置と、器具本体の下側に取り付けられて照明負荷の下方を覆う長尺状のセードと、セードを器具本体に固定する固定手段とで構成される照明器具であって、器具本体は、短手方向の両端方向に各々突出した鍔部を形成され、セードは、短手方向の両端において各鍔部の上面に当接する当接面を長手方向に延設し、器具本体の長手方向の一端から当該当接面を器具本体の鍔部の上面に載置した状態で、長手方向の他端側にスライドして照明負荷の下方を覆い、固定手段は、鍔部と当接面とを互いに固定することを特徴とする。
【０００８】
この発明によれば、セードの短手方向の両端に設けられた当接面の他端を、器具本体の長手方向の一端から、器具本体の鍔部の上面に載置した後、器具本体の長手方向の他端側にスライドすることにより当接面を鍔部に載置して器具本体にセードを保持させ、その後、器具本体とセードとの固定を行うことができる。これにより、器具本体にセードを取り付ける際に、ユーザーは器具本体がセードを保持した状態でセードを器具本体に固定することができるため、ユーザーが手を添えてセードを保持する必要が無くなり、組立作業性が良くなる。また、器具本体がセードを保持しているため、固定手段による器具本体とセードとの固定がなされていない場合でも、セードが器具本体から落下することを防止でき、安全である。
【０００９】
請求項２の発明は、請求項１において、セードの当接面はネジを挿通させる挿通孔を備え、器具本体の鍔部は、ネジを螺入するネジ孔を備え、セードと器具本体とは、ネジが当接面側から挿通孔を挿通してネジ孔に螺入することで互いに固定されることを特徴とする。
【００１０】
この発明によれば、セードを器具本体に固定した後に、鍔部と当接面とを固定するネジが外れても、ネジが下方に落ちることが無く安全である。
【００１１】
請求項３の発明は、請求項１または２において、鍔部は、当接面の長手方向の少なくとも両端で当接することを特徴とする。
【００１２】
この発明によれば、セードの短手方向の両端に設けられた当接面を、器具本体の長手方向の一端から、器具本体の一端の鍔部の上面に載置させた後、当接面が、一端に設けた鍔部の上面のみに接して長手方向の他端側にスライドするため、器具本体の鍔部とセードの当接面との接触面積が少なくなる。これにより、鍔部と当接面とのスライド時の摩擦力が抑えられ、セードの当接面を器具本体の長手方向に容易にスライドさせることができて、器具本体とセードとの組立作業性が更に向上する。
【発明の効果】
【００１３】
以上に説明したように、本発明では、照明器具の器具本体とセードとの組立作業性がよく、また、固定手段による器具本体とセードとの固定がなされない場合でも、器具本体からセードが外れて落下することを防止でき、安全性が向上するという効果が得られる。
【発明を実施するための最良の形態】
【００１４】
以下、本発明の実施の形態を図面に基づいて説明する。
【００１５】
（実施形態）
本実施形態の照明器具を、図１〜図１０を用いて説明する。ここで、図３において、
上方向を照明器具１００の上方、下方向を照明器具１００の下方、左方向を照明器具１００の左方、右方向を照明器具１００の右方、手前方向を照明器具１００の前方、奥方向を照明器具１００の後方とする。
【００１６】
本実施形態の照明器具１００は、前後に長尺状の器具本体２００と、器具本体２００の下面の左右に各々覆設される長尺状のセード５００Ｌ、５００Ｒと、器具本体２００の前後方向両端内側に各々設けられたソケット２２１，２２１に着脱自在に装着される２本の直管形蛍光灯４００，４００と、セード５００Ｌ，５００Ｒの上面に覆設される長尺状の上面カバー３００Ｌ，３００Ｒとを備える。そして、照明器具１００と構造物の天井面などの設置面との間に吊り下げ具６００が設けられる。なお、本実施形態の前後方向を長手方向とし、左右方向を短手方向とする。
【００１７】
器具本体２００は、長尺の矩形状のケース２１０と、ケース２１０の内部に設置され、外部からの電力を、ソケット２２１を介して直管形蛍光灯４００に供給して点灯させる自動安定器（図示せず）と、ケース２１０の前端及び後端の各々に、ケース２１０に対して左右方向に設けられた一対の支持部２２０Ｌ，２２０Ｒとを備える。
【００１８】
前方の支持部２２０Ｌ，２２０Ｒの後面、及び後方の支持部２２０Ｌ，２２０Ｒの前面には、ソケット２２１，２２１が各々設けられる。
【００１９】
そして、図４に示すように、ケース２１０に対して右側の支持部２２０Ｒは、ケース２１０の前端または後端から右方向の斜め下方に延出した棒状の支持アーム２２３と、支持アーム２２３から下方に延出した三角形状の支持台２２４とで構成される。支持台２２４は、支持アーム２２３の上面から連続して斜め下方に形成された外側面２２５と、支持アーム２２３の下面から垂直下方に形成された内側面２２６とを有しており、外側面２２５の下方には支持凹部２２７が形成されている。また、外側面２２５の下端からは、右方向に水平に突出した鍔部２２２Ｒが、内側面２２６の下端からは、左方向に水平に突出した鍔部２２２Ｌが形成されている。なお、ケース２１０に対して左側の支持部２２０Ｌは、上記右側の支持部２２０Ｒの左右方向を逆にして同様に構成される。
【００２０】
前方の支持部２２０Ｌ，２２０Ｒの支持台２２４に各々設けられた鍔部２２２Ｌ，２２２Ｒは、図６に示すように、後方に向かうにつれて上方に傾斜する傾斜面２２２ａ，２２２ａと、傾斜面２２２ａ，２２２ａの後端と連結する水平の上面２２２ｂ，２２２ｂと、上面２２２ｂ，２２２ｂより更に上方に突出した接触面２２２ｃ，２２２ｃと、接触面２２２ｃ，２２２ｃの後端と連結し、後方に向かうにつれて下方に傾斜する傾斜面２２２ｆ，２２２ｆとを備える。また、鍔部２２２Ｌ，２２２Ｒの接触面２２２ｃ，２２２ｃには、ネジ７００を螺入するためのネジ孔２２２ｄ，２２２ｄが形成されており、鍔部２２２Ｒの上面２２２ｂには、照明器具１００を前後方向に複数連結する際に用いる、図示しない結合部材を取り付けるネジ孔２２２ｅが形成されている。なお、ケース２１０に対して後方に取り付けられた支持部２２０Ｌ，２２０Ｒでは、上記前方の支持部２２０Ｌ，２２０Ｒに各々設けられた鍔部２２２Ｌ，２２２Ｒの各前後方向を逆にして各面２２２ａ〜２２２ｆが同様に形成される。
【００２１】
次に、セード５００Ｌ，５００Ｒは、器具本体２００の前端と後端の各々に設けられた左右一対の支持部２２０Ｌ，２２０Ｒの各間に設置されて、器具本体２００の左右に取り付けられた直管形蛍光灯４００，４００が発した光を下方に配光制御するものである。
【００２２】
まず、器具本体２００に対して右側のセード５００Ｒの右側端および左側端には、図７，８，９に示すように、側面部５５０ａ及び５５０ｂを垂直上方向に延設して形成している。また、側面部５５０ａ及び５５０ｂの各内側には、前後方向に延設された延設片５２０ａ，５２０ｂを水平方向に突設して形成しており、延設片５２０ａ，５２０ｂの前端と後端とには、ネジ７００を挿通するための挿通孔５６０，５６０を形成している。
【００２３】
また、セード５００Ｒは、矩形状の開口部５４０を前後方向に沿って設けており、開口部５４０には、遮光部材５３０が設置されている。（図９，１０参照）
遮光部材５３０は、左右両端に設けられた保持レール５３１，５３１と、保持レール５３１，５３１との間に左右に渡設して設けられた略短冊状の複数の遮光板５３２とからなる。また、保持レール５３１の前端と後端には、ネジ７００を挿通するための挿通孔５７０，５７０を形成している。そして、遮光部材５３０の複数の遮光板５３２が開口部５４０に嵌められて、セード５００Ｒの延設片５２０ｂの上面に左側の保持レール５３１の下面が当接して、セード５００Ｒに遮光部材５３０が取り付けられる。なお、器具本体２００に対して左側のセード５００Ｌは、上記右側のセード５００Ｒの左右方向を逆にして同様に構成される。
【００２４】
直管形蛍光灯４００は、接続ピン４１０，４１０を備えた口金４２０，４２０がそれぞれ直管形バルブ４３０の両端にセメントなどにより固化されている。そして、直管形バルブ４３０は、両端部に一対のフィラメント電極（図示せず）が封装されているとともに、内表面に蛍光体膜（図示せず）が形成され、内部にアルゴンなどの希ガスおよび水銀を封入している。
【００２５】
上面カバー３００Ｒ，３００Ｌは、器具本体２００の前端および後端の各々に設けられた、前後端の支持部２２０Ｒ，２２０Ｒおよび２２０Ｌ，２２０Ｌに形成された支持凹部２２７，２２７にその前後端を設置されて、セード５００Ｒ，５００Ｌの右上面及び左上面を各々覆うものである。
【００２６】
器具本体２００に対して右側の上面カバー３００Ｒは、器具本体２００の前端または後端の各々に設けられた支持部２２０Ｒ，２２０Ｒの支持凹部２２７，２２７に沿って載置される長尺状の上面板３１０と、上面板３１０の下面の左右方向略中央から、垂直下方に突設した上面カバー支持部３２０とからなる。また、上面板３１０の右側端からは右方向に向かって水平に延設された上面カバー固定片３１１が形成されており（図１参照）、更に上面カバー固定片３１１の前端と後端には、ネジ７００を挿通するための挿通孔３１２，３１２を形成している。なお、器具本体２００に対して左側の上面カバー３００Ｌは、上記右側の上面カバー３００Ｒの左右方向を逆にして同様に構成される。
【００２７】
吊り下げ具６００は、器具本体２００の前端及び後端に装着され、ケース２１０を天井等から吊り下げるためのものであり、天井に配設されて、商用電源を供給する配線系統（図示せず）とケース２１０内の自動安定器（図示せず）とを電気的に接続する電源線（図示せず）を内部に通したワイヤ６１０が用いられる。また、天井とワイヤ６１０との接合部にはコードカバー６２０が設けられる。
【００２８】
本実施形態の照明器具１００は、上記各部材により構成されており、各部材の取付構造について以下説明する。
【００２９】
まず、直管形蛍光灯４００の接続ピン４１０，４１０を、器具本体２００のソケット２２１，２２１の配電面２２１ａ，２２１ａに嵌め合わせる。これにより、直管形蛍光灯４００を、器具本体のソケット２２１に着脱自在に保持させる。
【００３０】
次に、セード５００（５００Ｒ，５００Ｌ）の延設片５２０ａ及び５２０ｂの下面（以降、当接面５８０ａ，５８０ｂと称す）の後端を、それぞれ、器具本体２００の前端に設けた支持部２２０（２２０Ｒ，２２０Ｌ）の鍔部２２２Ｒ及び２２２Ｌの傾斜面２２２ａ及び２２２ａに載置する。そして、セード５００の当接面５８０ａ，５８０ｂを傾斜面２２２ａ，２２２ａの傾斜に沿って斜め後ろ上方に滑らせて、器具本体２００の前端の鍔部２２２Ｒ，２２２Ｌの接触面２２２ｃ，２２２ｃ上に延設片５２０ａ，５２０ｂの各当接面５８０ａ，５８０ｂを各々当接させる。その後、セード５００を器具本体２００の後端側にスライドして、器具本体２００の後端の支持部２２０に形成された鍔部２２２Ｒ及び２２２Ｌに載置させる。この状態で器具本体２００の鍔部２２２Ｒ，２２２Ｌの上にセード５００の当接面５８０ａ，５８０ｂが載置されることでセード５００は器具本体２００に保持される。
【００３１】
本実施形態の照明器具１００は、器具本体２００の前端に設けられた支持部２２０に形成された鍔部２２２Ｒ，２２２Ｌの前端に、傾斜面２２２ａ，２２２ａが形成されている。これにより、ユーザーは、セード５００の当接面５８０ａ，５８０ｂの各後端を傾斜面２２２ａ，２２２ａに当接させ、傾斜面２２２ａ，２２２ａの傾斜に沿って、斜め後ろ上方に滑らせることで、セード５００の延設片５２０ａ，５２０ｂを、上方に突出した接触面２２２ｃ，２２２ｃに接触させることなく、セード５００を後方へスライドさせることができ、組立作業性が良くなる。
【００３２】
さらに、本実施形態の照明器具１００は、器具本体２００の後端に設けられた支持部２２０に形成された鍔部２２２Ｌ，２２２Ｒの前端に、傾斜面２２２ｆ，２２２ｆが形成されている。これにより、ユーザーは、セード５００を器具本体２００の後方にスライドさせる際に、セード５００の延設片５２０ａ，５２０ｂの後端が、器具本体２００の後端に設けられた支持部２２０に形成された鍔部２２２Ｌ，２２２Ｒの前方の傾斜面２２２ｆ，２２２ｆに接触しても、当接面５８０ａ，５８０ｂの各後端を、傾斜面２２２ｆ，２２２ｆの傾斜に沿って斜め後ろ上方に滑らせることで、セード５００の当接面５８０ａ，５８０ｂを、器具本体２００の後方に設けられた鍔部２２２Ｌ，２２２Ｒの接触面２２２ｃ，２２２ｃに載置させることが容易に行え、組立作業性が良くなる。
【００３３】
その後、上面カバー３００（３００Ｒ，３００Ｌ）の後端を器具本体２００の後端側の支持台２２４に形成した支持凹部２２７に上方から嵌め合わせ、そして、上面板３１０の前端を器具本体２００の前端側の支持台２２４に形成した支持凹部２２７に上方から嵌め合わせることで、器具本体２００に上面カバー３００を設置する。
【００３４】
而して、鍔部２２２Ｒに形成したネジ孔２２２ｄは、延設片５２０ａに形成した挿通孔５６０と、上面カバー固定片３１１に形成した挿通孔３１２とを介して上方に臨み、鍔部２２２Ｌに形成したネジ孔２２２ｄは、延設片５２０ｂに形成した挿通孔５６０と、遮光部材５３０の保持レール５３１に形成した挿通孔５７０とを介して上方に臨む。
【００３５】
そして、上方から、保持レール５３１に形成した挿通孔５７０及び延設片５２０ｂに形成した挿通孔５６０にネジ７００を挿通して、鍔部２２２Ｌに形成したネジ孔２２２ｄにネジ７００を螺入し、次に、上方から、上面カバー固定片３１１に形成した挿通孔３１２及び延設片５２０ａに形成した挿通孔５６０にネジ７００を挿通して、鍔部２２２Ｒに形成したネジ孔２２２ｄにネジ７００を螺入する。これにより、延設片５２０ａ，５２０ｂと上面カバー３００とを、鍔部２２２Ｌ，２２２Ｒに固定し、さらには、器具本体２００に対してセード５００の固定がなされる。
【００３６】
なお、セード５００を後方から前方へスライドさせて器具本体２００に取り付ける場合は、前後方向を逆にして上記と同様に取り付けを行う。
【００３７】
このような本実施形態の照明器具１００は、器具本体２００にセード５００を取り付ける際、セード５００の延設片５２０ａ，５２０ｂを支持台２２４の鍔部２２２Ｒ，２２２Ｌに保持させ、その後、鍔部２２２Ｒ，２２２Ｌと延設片５２０ａ，５２０ｂとをネジ７００で各々固定している。このため、器具本体２００にセード５００を固定する際には、器具本体２００の鍔部２２２Ｒ，２２２Ｌがセード５００の延設片５２０ａ，５２０ｂを下方から保持した状態であり、ユーザーが、セード５００に手を添えて保持することなく、鍔部２２２Ｒ，２２２Ｌと延設片５２０ａ，５２０ｂとをネジ７００で固定することができるため、組立作業性が良い。
【００３８】
また、鍔部２２２Ｒ，２２２Ｌは延設片５２０ａ，５２０ｂを保持しているため、固定手段であるネジ７００による、鍔部２２２Ｒ，２２２Ｌと延設片５２０ａ，５２０ａとの固定がなされていない場合でも、セード５００Ｒ，５００Ｌが器具本体２００から落下することを防止でき、安全である。
【００３９】
また、本実施形態の照明器具１００において、鍔部２２２Ｒ，２２２Ｌと延設片５２０ａ，５２０ｂとを、延設片５２０ａ，５２０ｂの挿通孔５６０，５６０にネジ７００を上側から挿通して、鍔部２２２Ｒ，２２２Ｌのネジ孔２２２ｄ，２２２ｄに螺入することで固定する。これにより、延設片５２０ａ，５２０ｂと鍔部２２２Ｒ，２２２Ｌとをネジ７００で固定した後に、このネジ７００が緩んで外れたときも、ネジ７００が下方に落ちることが無く安全である。
【００４０】
さらに、本実施形態の器具本体２００は、鍔部２２２Ｒ，２２２Ｌをその両端に設けている。これにより、セード５００の延設片５２０ａ，５２０ｂの一端を、鍔部２２２Ｒ，２２２Ｌの上に載置させた後、器具本体２００の支持部２２０の他端側へスライドさせる際、セード５００の当接面５８０ａ，５８０ｂは、一端の鍔部２２２Ｒ，２２２Ｌのみと接触するため、当接面５８０ａ，５８０ｂと鍔部２２２Ｒ，２２２Ｌとの接触面積が少なく、スライド時の摩擦力が抑えられる。したがって、セード５００を器具本体２００の一端から、他端側に容易にスライドさせることができるため、器具本体２００とセード５００との組立作業性が更に向上する。
【００４１】
また、本実施形態の照明器具１００において、器具本体２００にセード５００を保持させた際、セード５００は前方の鍔部２２２Ｒ，２２２Ｌと後方の鍔部２２２Ｒ，２２２Ｌの四隅で支えられているため、セード５００が器具本体２００からずれることなく安定しており、器具本体２００とセード５００との組立作業性が更に良くなる。
【図面の簡単な説明】
【００４２】
【図１】実施形態の照明器具の分解斜視図である。
【図２】同上の斜視図である。
【図３】同上の前面図である。
【図４】同上の器具本体の斜視図である。
【図５】同上の器具本体の前面図である。
【図６】同上の支持部の斜視拡大図である。
【図７】同上のセードの上面図である。
【図８】同上のセードの前面図である。
【図９】同上のセードの一部斜視図である。
【図１０】同上の支持部へのセードの取り付け状態を示した図である。
【符号の説明】
【００４３】
１００      照明器具
２００      器具本体
２２０Ｌ    支持部
２２０Ｒ    支持部
２２１      ソケット
２２２Ｌ    鍔部
２２２Ｒ    鍔部
２２４      支持台
３００Ｌ    上面カバー
３００Ｒ    上面カバー
４００      直管形蛍光灯
５００Ｌ    セード
５００Ｒ    セード
５２０ａ    延設片
５２０ｂ    延設片
５８０ａ    当接面
５８０ｂ    当接面
６００      吊り下げ具
【図１】
2009123495.tif 000003
【図２】
2009123495.tif 000004
【図３】
2009123495.tif 000005
【図４】
2009123495.tif 000006
【図５】
2009123495.tif 000007
【図６】
2009123495.tif 000008
【図７】
2009123495.tif 000009
【図８】
2009123495.tif 000010
【図９】
2009123495.tif 000011
【図１０】
2009123495.tif 000012